(57)【要約】      （修正有）【課題】技術開発についての創造性を養護する。【解決手段】インターネットにより世界の新技術・新製品に関する出願申請済の知的所有権等の新技術情報を各種類毎に詳細な内容が世界各国の知的所有権の電子情報機をネットワークして連携され検索によって画面に表示可能に構成され仮保護付で世界共通に知得可能な詳細体制がシステム化される詳細枠（段階）と、その新技術情報の詳細な内容を知得して実用化を希望する団体等との間で交渉・契約等の技術交流を打診可能な交流体制がシステム化される交流枠（段階）と、新技術情報を含む世界各国の知的所有権を検索で表示可能にネットワークされた電子情報機とを具備した好流体を有する。【選択図】図３
2005182722.tif 000002
【特許請求の範囲】
【請求項１】
インターネットにより世界の新技術・新製品に関する出願申請済の知的所有権等の新技術情報を各種類毎に詳細な内容が世界各国の知的所有権の電子情報機をネットワークして連携され検索によって画面に表示可能に構成され仮保護付で世界共通に知得可能な詳細体制がシステム化される詳細枠（領域）と、
該新技術情報の詳細な内容を知得して実用化を希望する団体等との間で交渉・契約等の技術交流を打診可能な交流体制がシステム化される交流枠（領域）と、
該新技術情報を含む世界各国の知的所有権を検索で表示可能にネットワークされた電子情報機と、
を具備した交流体を有することを特徴とする養護装置。
【請求項２】
インターネットにより前記新技術情報が各種類毎にその概要を仮保護付で公開し検索番号欄を備えて世界共通に知得可能な概要体制がシステム化される概要枠と、
前記技術交流の軽い紛争課題が各国の司法を含むネットワークで迅速・効率的な解決を目標に提示される条件欄を含む解決枠と、
をさらに具備した請求項１に記載の交流体を有する養護装置。
【請求項３】
インターネットにより前記新技術情報が各種類毎にその内容の知得〜交渉・契約に至る交流体制がシステム化される各段階を含み、
該新技術情報の詳細な内容が前記電子情報機をネットワークして連携され検索によって表示可能で仮保護付で世界共通に仮保護付で知得可能な詳細体制がシステム化される詳細段階と、
該新技術情報の内容を知得して実用化を希望する団体等との間で交渉・契約等の技術交流を打診可能な交流体制がシステム化される交流段階と、
を具備した交流体の使用方法を有することを特徴とする養護装置の使用方法。
【発明の詳細な説明】
【発明の詳細な説明】
【技術分野】  本発明は養護装置とその使用方法に関し、より詳しくは現存のインターネットにより世界の最新の新技術・新製品等に関する新技術情報をその種類毎に世界各国に知得し実用化の交流を図る諸体制をシステム化し、技術開発の創造性の養護を図ると共に効率的・省力的に世界の産業の発達を養護する一手段を図るものである。
【背景技術】  ２０世紀は去り、私達は２１世紀という新しい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は約２０世紀に１００倍以上増加した。革命的なまでに産業は発達し、人間の生活様式は大きく変化し、人間の活動力は大きく伸びた。このような著しい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境・資源の枯渇他地球規の諸課題等の大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このように森林・熱帯雨林の破壊と併せて、石油等の化石燃料は燃焼時に大量の二酸化炭素を排出する。この結果、図（ｄ）に示すように、大気中に二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。
生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。
地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。
世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。
これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。
２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星北の課題は放置すれば生物や人類の世紀末とも言うべき、全運命を左右する大危機である。
本発明の第１の目的は技術開発の創造性の養護の一手段を図ることである。
本発明の第２の目的は世界の新技術情報を種類別に知得し実用化の交流を図って世界の産業の発達を養護する一手段を図ることである。
［発明の実施の形態］
発明の実施の形態を実施例にもとづき図面を参照して下記のように説明する。
（１−１）実施例  交流体（使用方法）（１−１）実施例について図を参照して説明する。図１の図（ａ）は交流体の一実施例を示す平面図、図（ｂ）は他の実施例を示す平面図、図（ｃ）は使用方法を示すフローチャトである。本実施例の交流体は、インターネットにより世界の新技術・新製品に関する出願申請済の技術情報がその種類毎に、概要枠（段階）によって概要を仮保護付で世界共通に知得可能な概要体制をシステム化し、詳細枠（段階）によって詳細な内容を各国の知的所有権の情報システムに連結連携して検索により表示して調査知得可能な詳細体制をシステム化し、交流枠（段階）によって技術情報の交渉・契約等の交流をメール等で打診可能な交流標準を備えて交流体制をシステム化し、技術の創造性を養護し知得から実用化の迅速化・活性化・効率化・省力化を可能にして世界の産業の発達の養護の一手段を図るものである。
本実施例の交流体は、概要枠と、詳細枠と、交流枠と、で成る。
○  概要枠（段階）は、インターネットに表示される枠と使用方法とを基に世界の新技術・新製品に関する出願申請済の知的所有権の技術情報がその種類毎の概要が仮保護付で世界共通に知得可能にして概要体制がシステム化される。
○  詳細枠（段階）は、インターネットに表示される枠と使用方法とを基に上記の技術情報に関する種類毎の詳細な内容が世界各国の知的所有権の情報システムをネットワークして連携され検索によって表示可能に構成され、仮保護付で世界共通に１つの画表表示で知得可能にして詳細体制がシステム化される。情報システムは各国の工業所有権・著作権等の申請番号に各国の符号を付した検索番号が例えば上記の概要枠の検索欄に表示され検索で表示される。
○  交流枠（段階）は、インターネットに表示される枠と使用方法とを基に上記の技術情報を知得して実用化を希望する企業との間で交渉・契約等の技術交流をメール等で打診可能な交流標準等を備えて交流体制がシステム化される。交流の軽い粉争課題も各国の司法を含むネットワークの条件欄を含む解決枠を具備する。
［発明の効果］
（１〜３）  交流体（使用方法）は、概要枠（段階）では世界の新技術・新製品に関する出願申請済の技術情報の概要が世界の各国をネットワークしたインターネットの概要枠で仮保護付で（応募）公開されるので、世界最新の技術情報の概要を極めて効率よく短時間で確認できる概要体制がシステム化される。また詳細枠（段階）では概要枠の中から実用化に値すると判断された技術情報が各国の知的所有権の情報を蓄積した情報システムに直結し連携されたインターネットの詳細枠で申請番号等の検索によって調査知得可能であるので、実用化への成否の判断を極めて効率よく成しうる詳細体制がシステム化される。さらに交流枠（段階）ではその技術情報の実用化へ向けての交渉や契約がインターネットのメール等によって必要により交流標準を選択して成し得るので、技術情報の活用・実用化が極めて効率よく可能となる交流体制がシステム化される。新技術・新製品の開発は相当に大きな労力と相当な時間とが必要であるので、一般の企業では大きな投資を必要とし経営を圧迫するので、新に開発されたものを活用できれば経営の効率化に大きく寄与する道が拓かれる可能性がある。交流体（使用方法）は上記の概要体制・詳細体制・交流体制が世界の各国をネットワークしたインターネットによってシステム化されるので、世界最新の新技術・新製品の知得から交渉までが１つの表示面を介して極めて効率よく成される。交流体（使用方法）は技術開発側及び技術活用側の双方にとって労力・時間・資源・資本の養護が図られ、技術開発の創造性と正当性の養護が図られ、世界の技術の発達の養護が図られる。さらに世界の新技術の知得から実用化の迅速化・活性化・効率化・省力化を可能にして世界の産業の発達の養護の一手段を図ることができる。特に、地球環境や資源の養護や社会全般や未来の養護を目標にした新技術・新製品の開発は企業の利益が充分に見込まれる開発以外は実用化されにくい盲点を含んでいたが、交流体（使用方法）はこの壁を乗越えて地球環境・資源・未来の養護の一手段を図ることができると推定される。初期の軽い紛争課題も各国の司法を含むネットワークの解決枠で解決が図られてもよい。
【図面の簡単な説明】
【図１】  ２０世紀の人類の活動による地球環境等の課題と２１世紀の予測を示す図、
【図２】  代表的な地球規模の諸課題とそれらの因果関係を示す図、
【図３】  本発明の養護装置とその使用方法の一実施例を示す図、
【符号の説明】
【図１】
2005182722.tif 000003
【図２】
2005182722.tif 000004
【図３】
2005182722.tif 000005